(57)【要約】【課題】食用製品用ディスペンサを提供する。【解決手段】ディスペンサは、板紙及びプラスチックを含んでいる適当な材料で作ることができる。ディスペンサは、一般に一つ以上の商品を選択することができる消費者に複数の商品を露出するように開く。ディスペンサは、再閉可能でありかつ疑似気密でありうる。ディスペンサは、様々な量及びサイズの商品を保持するようにサイズ変更することができる。ある実施形態では、商品を所定の位置に保持するためにグルー又は接着剤が用いられる。【特許請求の範囲】
【請求項１】
複数のエッジによって囲まれた開放側面を有する複数側面式ハウジングと、
前記エッジの一つにヒンジで取付けられた商品コンパートメントとを備え、
前記コンパートメントは、留め金を含み、かつ前記側面の少なくとも一つは、前記コンパートメントが所望の商品取り出し位置まで前記ヒンジの回りを移動する場合に前記留め金に当接するように位置決めされる止め具を含むことを特徴とする食用商品ディスペンサ。
【請求項２】
前記コンパートメントは、食用商品スティックのスタックを保持するようにサイズ変更されることを特徴とする請求項１に記載の食用商品ディスペンサ。
【請求項３】
単一の片から一緒に折り畳められることを特徴とする請求項１に記載の食用商品ディスペンサ。
【請求項４】
紙、板紙、プラスチック、ポリマー及びそれらのいずれかの組合せで構成されているグループから選択された材料で作られることを特徴とする請求項１に記載の食用商品ディスペンサ。
【請求項５】
前記コンパートメントは、前記開放側面と実質的に同じ形状及び大きさである前壁を含むことを特徴とする請求項１に記載の食用商品ディスペンサ。
【請求項６】
前記コンパートメントは、前記前壁に接続された少なくとも一つの側壁を含み、前記前壁及び前記側壁の少なくとも一つは、消費者が前記コンパートメントから商品を取り出すことを助ける開口を画定することを特徴とする請求項５に記載の食用商品ディスペンサ。
【請求項７】
前記コンパートメント及び前記ハウジングは、望ましい場合に該ハウジングに関して閉じた位置に該コンパートメントを保持することを助けるために舌及びスリット構造を採用することを特徴とする請求項１に記載の食用商品ディスペンサ。
【請求項８】
閉じた位置の前記コンパートメントは、前記ハウジングの内側に配置されることを特徴とする請求項１に記載の食用商品ディスペンサ。
【請求項９】
外側包装紙及び開封帯を含むことを特徴とする請求項１に記載の食用商品ディスペンサ。
【請求項１０】
頂壁及び側壁を含んでいる頂部分と、
前記頂部分にヒンジで取付けられたベース部分と、
それぞれが前記ベース部分に解放可能に取付けられた側面を有し、前記頂部分が前記ベース部分から離される場合にアクセス可能である、複数の食用商品と、
を備えていることを特徴とする食用商品ディスペンサ。
【請求項１１】
前記商品は、前記ベースに一列に取付けられることを特徴とする請求項１０に記載の食用商品ディスペンサ。
【請求項１２】
前記商品は、それぞれ包装紙で個別に包まれ、かつ前記包装紙は、前記ベース部分に該包装紙の側面に沿って解放可能に取付けられることを特徴とする請求項１０に記載の食用商品ディスペンサ。
【請求項１３】
前記商品は、前記ベースに接着されることを特徴とする請求項１０に記載の食用商品ディスペンサ。
【請求項１４】
前記接着は、ホットグルー、コールドグルー、又はその両方を用いてもたらされることを特徴とする請求項１０に記載の食用商品ディスペンサ。
【請求項１５】
前記ベースは、少なくとも一つのグルーストリップを含みかつ前記商品は、前記グルーストリップに接着されることを特徴とする請求項１０に記載の食用商品ディスペンサ。
【請求項１６】
単一の片から一緒に折り畳められることを特徴とする請求項１０に記載の食用商品ディスペンサ。
【請求項１７】
前記食用商品は、前記上部部分が前記ベースから離れるように回転される場合に前記商品の少なくともあるものの３つの側面が露出されるように前記ベース部分に解放可能に取付けられることを特徴とする請求項１０に記載の食用商品ディスペンサ。
【請求項１８】
外側包装紙及び開放帯を含むことを特徴とする請求項１０に記載の食用商品ディスペンサ。
【請求項１９】
頂壁及び側壁を含んでいる頂部分と、
前記頂部分にヒンジで取付けられた底部分と、
を備え、
前記頂部分及び前記底部分は、望ましい場合に該頂部分及び該底部分を一緒に保持する嵌め合わせプレス嵌め側面を含み、該頂部分及び該底部分の少なくとも一つは、少なくとも一つの食用商品を構造間にプレス嵌めできるように離間されたプレス嵌め構造を含んでいることを特徴とする食用商品ディスペンサ。
【請求項２０】
前記頂部分及び前記底部分のそれぞれは、ペアを形成すべく協働するプレス嵌め構造を含むことを特徴とする請求項１９に記載の食用商品ディスペンサ。
【請求項２１】
前記頂部分及び前記底部分の少なくとも一つは、少なくとも一つの食用商品を該部分の複数の位置にプレス嵌めできるように離間された複数のプレス嵌め構造を含むことを特徴とする請求項１９に記載の食用商品ディスペンサ。
【請求項２２】
前記頂部分及び前記底部分のそれぞれは、所望の量の商品を集合的に保持するようにサイズ変更されたプレス嵌め構造を含むことを特徴とする請求項１９に記載の食用商品ディスペンサ。
【請求項２３】
前記頂部分の前記プレス嵌め構造は、前記底部分の前記プレス嵌め構造とは異なる商品の量を保持するようにサイズ変更されることを特徴とする請求項２２に記載の食用商品ディスペンサ。
【請求項２４】
前記頂部分及び前記底部分の一つだけが前記プレス嵌め構造を含むことを特徴とする請求項１９に記載の食用商品ディスペンサ。
【請求項２５】
前記頂部分及び前記底部分の少なくとも一つは、消費者がその中にプレス嵌めされた商品の一つを取り出すことを助けるアクセス孔を含むことを特徴とする請求項１９に記載の食用商品ディスペンサ。
【請求項２６】
前記頂部分及び前記底部分の少なくとも一つは、消費者がその中にプレス嵌めされた商品の一つを取り出すことを助ける複数の配向のアクセス孔を含むことを特徴とする請求項１９に記載の食用商品ディスペンサ。
【請求項２７】
前記頂部分及び前記底部分は、該部分を互いにプレス嵌めすることができる嵌め合わせプレス嵌め周辺を含むことを特徴とする請求項１９に記載の食用商品ディスペンサ。
【請求項２８】
第２の部分にヒンジにより接続された第１の部分を備え、
前記第１及び第２の部分は、（ｉ）前記部分のそれぞれの内に食用商品を保持しかつ（ｉｉ）前記商品へのアクセスを消費者に供給するために変化するプロフィールに沿って共有正面で嵌合されることを特徴とする食用商品ディスペンサ。
【請求項２９】
前記プロフィールは、正弦曲線プロフィールであることを特徴とする請求項２８に記載の食用商品ディスペンサ。
【請求項３０】
紙、板紙、プラスチック、ポリマー材料及びそれらの組合せで構成されているグループから選択された材料で作られることを特徴とする請求項２８に記載の食用商品ディスペンサ。
【請求項３１】
前記第１及び第２の部分の一つにヒンジで取付けられたフラップを更に備え、前記フラップは、前記共有正面を被覆しかつ商品が前記部分から不注意により取り出されるのを防ぐことを特徴とする請求項２８に記載の食用商品ディスペンサ。
【請求項３２】
前記第１の部分は、前記第２の部分とは異なる数の商品を保持することを特徴とする請求項２８に記載の食用商品ディスペンサ。
【請求項３３】
前記商品は、前記第１及び第２の部分の少なくとも一つに接着剤で固定されることを特徴とする請求項２８に記載の食用商品ディスペンサ。
【請求項３４】
前記プロフィールは、前記部分が閉じられた場合に該部分を解放可能に嵌合するスナップ嵌め装置を含むことを特徴とする請求項２８に記載の食用商品ディスペンサ。
【請求項３５】
前記プロフィールは、最初に穴があけられており、かつ前記消費者が前記商品へのアクセスを得るために前記穴を壊すことを特徴とする請求項２８に記載の食用商品ディスペンサ。
【請求項３６】
前記プロフィールは、前記第１及び第２の部分のそれぞれの複数の壁に沿って穴があけられることを特徴とする請求項３５に記載の食用商品ディスペンサ。
【請求項３７】
少なくとも３つのスタックの食用商品を保持するトレーと、
前記トレーを摺動的に嵌合するスリーブとを備え、
前記スリーブは、二つの終端が開放されかつ消費者が前記スリーブのアパーチャを通して前記トレーに到達しかつ前記スリーブの開放された終端の一つを通して少なくとも一つの中間スタックを伸長するために前記スリーグに対して前記トレーを移動できるようにサイズ変更されたアパーチャを画定することを特徴とする食用商品ディスペンサ。
【請求項３８】
紙、板紙、プラスチック、ポリマー材料及びそれらの組合せで構成されているグループから選択された材料で作られることを特徴とする請求項３７に記載の食用商品ディスペンサ。
【請求項３９】
前記スタックは、前記商品を保持する個々の包装紙を含み、前記包装紙は、包装紙がバンドでくくられたままで商品が包装紙から取り出されるようにバンドで一緒にくくられることを特徴とする請求項３７に記載の食用商品ディスペンサ。
【請求項４０】
前記包装紙をくくっているバンドは、前記トレーに接着されることを特徴とする請求項３９に記載の食用商品ディスペンサ。
【請求項４１】
前記スタックは、前記商品を保持する個々の包装紙を含み、前記包装紙は、包装紙が一緒に接着されたままで商品が包装紙から取り出されるように一緒に接着されることを特徴とする請求項３７に記載の食用商品ディスペンサ。
【請求項４２】
外側包装紙及び開放帯を含むことを特徴とする請求項３７に記載の食用商品ディスペンサ。
【発明の詳細な説明】
【技術分野】
【０００１】
本発明は、一般にパッケージング（包装）に関する。特に、本発明は、食用製品を格納しかつ取り出すためのパッケージングに関する。
【背景技術】
【０００２】
食用製品用パッケージングは、製品の外観、マーケティング及び格納にとって非常に重要である。頻繁に、パッケージングの文章（テキスト）に加えて、パッケージングは、また、製品の種類、製品の風味又は製品の目的に関するメッセージを視覚的に伝えようとする。例えば、シナモン又はチェリー味の製品に対するパッケージングは、しばしば赤であり、グレープ味の製品のパッケージングは、しばしば紫である、等。一度消費者が所望のブランド（商標・銘柄）を識別したならば、消費者は、パッケージングの色だけに基づいて製品を一般に選択することができる。
【０００３】
製品をマーケティングすることにおいて、パッケージングは、風味以外の他の情報を伝えることができ、それにより消費者は、パッケージングを単に観ることによって製品をその効果に関連付けることができる。
【０００４】
また、食用製品をパッケージングすることに対する実用的な側面も存在し、具体的には、輸送中に製品が損傷することを防ぎ、製品を新鮮に保ち、そしてある例では再使用可能なパッケージを供給する。ある食用製品は、パッケージングがロバスト（頑強）、頑丈又は再使用可能であることを必要としない。
【０００５】
他の食用製品は、ばらばらにパッケージされかつ、製造業者の要求通りに、再使用可能なパッケージで供給されうるか又は供給されえない。製品の一部分だけが一度に消費されうると感じられたならば、製造業者は、ヒンジ（蝶番）で接続された蓋を有しているボックス（箱）を供給することを望みうる。
【発明の開示】
【発明が解決しようとする課題】
【０００６】
一定の食用製品では、消費者は、パッケージを破って製品又は製品の一部分を取り出す。この種類のパッケージングによる一つの問題は、消費者がパッケージングから多くの部分を取り出した後に残りの製品がパッケージから落ちる傾向があるということである。これらのパッケージの別の問題は、パッケージの大部分を破って開封することなく一部を取り出すことは、特に新たに開封されたパッケージでは、難しくなるということである。
複数の部分の取り出し後でも製品を保持するパッケージを供給する試みは、食用製品を取り出すことをより困難にしうる。製品をしっかりとパッキングすることは、製品へのアクセスを得ることを犠牲にして製品を保持することを助けうる。
【０００７】
従って、多くの製品がパッケージから取り出された後でさえも製品の編成を維持する食用製品パッケージを提供することが望ましい。
また、製品がアクセス可能でかつ取り出し可能であるパッケージで食用製品を提供することが望ましい。
更に、異なる所望の量の製品を保持するためにサイズ変更されるように食用製品パッケージがフレキシブルであることが望ましい。
【課題を解決するための手段】
【０００８】
本発明は、改良された製品保持及び取り出し装置、及び製品、特に食用製品を製造し、保持しかつ格納する改良された方法を提供する。パッケージ又はディスペンサは、要望通りに、例えば、紙、板紙、プラスチック、又はこれらの組合せで作られる。ここに開示されたパッケージ又はディスペンサは、一般的に既知の食用製品パッケージよりも幅が広くかつ厚みが厚く、本発明のパッケージ又はディスペンサをより使い勝手をよくし、かつ例えば、消費者のズボンやシャツのポケットにより容易に格納できるようにする。
【０００９】
ここに開示されたパッケージに格納された製品は、既知の食用製品パッケージにおけるよりもより自由に露出されて、消費者がパッケージの複数の異なるエリア（領域）から製品を掴み取ることができる。そうであっても、以下に説明する実施形態は、一般に、製品を落としたり又は失ったりする懸念なしで消費者がパッケージを取扱いかつ移動できるように所定の場所に製品をしっかり保持することができる。
【発明を実施するための最良の形態】
【００１０】
ここに記述されるある実施形態は、その複数の半分又はサイド（側）に含まれた製品を有するパッケージを含んで、パッケージの複数のサイドの製品を露出するためにパッケージがウォレット（財布）のように開く。係る構成は、製品のアクセスしやすさを最大にする傾向がある。また、ウォレットのような形状は、ロバストでかつ複数の使用に対して劣化しないパッケージを提供する。
【００１１】
ここに記述されるある実施形態は、再封可能又は再閉可能でかつ一般的に密閉されたパッケージを含む。一実施形態では、パッケージは、プラスチックで作られかつ使用後に閉じた位置で互いにスナップ嵌めするか又はプレス嵌めする。閉じられた場合、プラスチック・パッケージは、外気がパッケージに入ることを防ぐ傾向がある。閉じ直し可能でロボストでありかつ複数の使用に対して劣化しない傾向がある、紙又は板紙で作られた他のディスペンサが提供される。
【００１２】
また、ここに記述されたパッケージは、フレキシブルでありかつ異なる量の食用スティックを収納（格納）するように構成することが可能であり、製品のラインが、例えば、食用製品の５個のスティック・パックと１５個のスティック・パックとの間で一貫しうる。
【００１３】
ここに記述されたディスペンサは、ブランド（商標・銘柄）及び製品情報の表示用の十分なスペースを含むか又は提供する。更に、各実施形態は、誰かがパッケージ又はその中に格納された製品を不正に開けたかどうかを消費者が容易に見ることができるように外側包装紙又は他の種類の不正開封デバイスを含みうる。
【００１４】
上述した目的のために、一実施形態では、（ｉ）複数のエッジによって囲まれた開放側面を有する複数側面式ハウジングと、（ｉｉ）エッジの一つにヒンジで取付けられた商品コンパートメントとを備え、かつ（ｉｉｉ）コンパートメントは、留め金を含み、かつ側面の少なくとも一つは、コンパートメントが所望の商品取り出し位置までヒンジの回りを移動する場合に留め金に当接するように位置決めされる止め具を含む食用商品ディスペンサが提供される。
【００１５】
一実施形態では、コンパートメントは、食用商品スティックのスタックを保持するようにサイズ変更される。
一実施形態では、単一の片から一緒に折り畳められる。
【００１６】
一実施形態では、ディスペンサは、紙、板紙、プラスチック、ポリマー及びそれらのいずれかの組合せで構成されているグループから選択された材料で作られる。
一実施形態では、コンパートメントは、開放側面と実質的に同じ形状である前壁を含む。
【００１７】
一実施形態では、コンパートメントは、前壁に接続された少なくとも一つの側壁を含み、前壁及び側壁の少なくとも一つは、消費者がコンパートメントから商品を取り出すことを助ける開口を画定する。
一実施形態では、コンパートメント及びハウジングは、望ましい場合に該ハウジングに関して閉じた位置に該コンパートメントを保持することを助けるために舌（タン）及びスリット構造を採用する。
【００１８】
一実施形態では、閉じた位置のコンパートメントは、ハウジングの内側に配置される。
一実施形態では、ディスペンサは、外側包装紙及び開封帯を含む。
【００１９】
別の実施形態では、（ｉ）頂壁及び側壁を含んでいる頂部分と、（ｉｉ）頂部分にヒンジで取付けられたベース部分と、（ｉｉｉ）頂部分がベース部分から離されるように回転される場合に、商品の少なくともあるものの複数の側面が露出されるようにベース部分に商品の側面に沿って解放可能に取付けられた複数の食用商品と、を備えている食用商品ディスペンサが提供される。
【００２０】
一実施形態では、商品は、ベースに一列に取付けられる。
一実施形態では、商品は、それぞれ包装紙で個別に包まれ、かつ包装紙は、ベース部分に該包装紙の側面に沿って解放可能に取付けられる。
【００２１】
一実施形態では、商品は、ベースに接着される。
一実施形態では、接着は、ホットグルー、コールドグルー、又はその両方を用いてもたらされる。
【００２２】
一実施形態では、ベースは、少なくとも一つのグルーストリップを含みかつ商品は、グルーストリップに接着される。
一実施形態では、ディスペンサは、単一の片から一緒に折り畳められる。
【００２３】
一実施形態では、食用商品は、上部部分がベースから離れるように回転される場合に商品の少なくともあるものの３つの面（側面）が露出されるようにベース部分に解放可能に取付けられる。
一実施形態では、ディスペンサは、外側包装紙及び開放帯を含む。
【００２４】
更なる実施形態では、（ｉ）頂壁及び側壁を含んでいる頂部分と、（ｉｉ）頂部分にヒンジで取付けられた底部分と、を備え、（ｉｉｉ）頂部分及び底部分は、望ましい場合に該頂部分及び該底部分を一緒に保持する嵌め合わせプレス嵌め側面を含み、該頂部分及び該底部分の少なくとも一つは、少なくとも一つの食用商品を構造によってプレス嵌めできるように離間されたプレス嵌め構造を含んでいる食用商品ディスペンサが提供される。
【００２５】
一実施形態では、頂部分及び底部分のそれぞれは、ペアを形成すべく協働するプレス嵌め構造を含む。
一実施形態では、頂部分及び底部分の少なくとも一つは、少なくとも一つの食用商品を該部分の複数の位置にプレス嵌めできるように離間された複数のプレス嵌め構造を含む。
【００２６】
一実施形態では、頂部分及び底部分のそれぞれは、所望の量の商品を集合的に保持するようにサイズ変更されたプレス嵌め構造を含む。
一実施形態では、頂部分のプレス嵌め構造は、底部分のプレス嵌め構造とは異なる商品の量を保持するようにサイズ変更される。
【００２７】
一実施形態では、頂部分及び底部分の一つだけがプレス嵌め構造を含む。
一実施形態では、頂部分及び底部分の少なくとも一つは、消費者がその中にプレス嵌めされた商品の一つを取り出すことを助けるアクセス開口を含む。
【００２８】
一実施形態では、頂部分及び底部分の少なくとも一つは、消費者がその中にプレス嵌めされた商品の一つを取り出すことを助ける複数の配向のアクセス開口を含む。
一実施形態では、頂部分及び底部分は、商品の回りで完全に該部分を互いにプレス嵌めすることができる嵌め合わせプレス嵌め周辺を含む。
【００２９】
別の実施形態では、（ａ）第２の部分にヒンジにより接続された第１の部分を備え、かつ（ｂ）第１及び第２の部分は、（ｉ）部分のそれぞれの内に食用商品を保持しかつ（ｉｉ）商品へのアクセスを消費者に供給するために変化するプロフィールに沿って共有正面で嵌合される食用商品ディスペンサが提供される。
【００３０】
一実施形態では、プロフィールは、正弦曲線プロフィールである。
一実施形態では、ディスペンサは、紙、板紙、プラスチック、ポリマー材料及びそれらの組合せで構成されているグループから選択された材料で作られる。
一実施形態では、ディスペンサは、第１及び第２の部分の一つにヒンジで取付けられたフラップを更に備え、フラップは、共有正面を被覆しかつ商品が部分から不注意により取り出されるのを防ぐ。
【００３１】
一実施形態では、第１の部分は、第２の部分とは異なる数の商品を保持する。
一実施形態では、商品は、第１及び第２の部分の少なくとも一つに接着剤で固定される。
一実施形態では、プロフィールは、部分が閉じられた場合に該部分を解放可能に嵌合するスナップ嵌め装置を含む。
【００３２】
一実施形態では、プロフィールは、最初に穴があけられており、かつ消費者が商品へのアクセスを得るために穴を壊す。
一実施形態では、プロフィールは、第１及び第２の部分のそれぞれの複数の壁に沿って穴があけられる。
【００３３】
更に別の実施形態では、（ｉ）少なくとも３つのスタックの食用商品を保持するトレーと、（ｉｉ）トレーを摺動的に嵌合するスリーブとを備え、スリーブは、二つの終端が開放されかつ消費者がスリーブのアパーチャ（開口）を通してトレーに到達しかつスリーブの開放された終端の一つを通して少なくとも一つの中間スタックを伸長するためにスリーグに対してトレーを移動できるようにサイズ変更されたアパーチャ（開口）を画定する食用商品ディスペンサが提供される。
【００３４】
一実施形態では、ディスペンサは、紙、板紙、プラスチック、ポリマー材料及びそれらの組合せで構成されているグループから選択された材料で作られる。
一実施形態では、スタックは、商品を保持する個々の包装紙を含み、包装紙は、包装紙がバンドでくくられたままで商品が包装紙から取り出されるようにバンドで一緒にくくられる。
【００３５】
一実施形態では、包装紙をくくっているバンドは、トレーに接着される。
一実施形態では、スタックは、商品を保持する個々の包装紙を含み、包装紙は、包装紙が一緒に接着されたままで商品が包装紙から取り出されるように一緒に接着される。
一実施形態では、外側包装紙及び開放帯を含む。
【００３６】
従って、改良された食用商品パッケージ又はディスペンサを提供することは、本発明の効果である。
取り出しのために消費者にその中の商品をより容易に露出する食用商品パッケージ又はディスペンサを提供することは、本発明の別の効果である。
食用商品を取り出すための改良された方法を提供することは、本発明の更に別の効果である。
【００３７】
食用商品ディスペンサ及び装置を製造する改良された方法を提供することは、本発明の更なる効果である。
更に、複数の使用によく持ち応える食用商品用パッケージ又はディスペンサを提供することは、本発明の効果である。
【００３８】
解放可能又は再閉可能である食用商品パッケージ又はディスペンサを提供することは、本発明の更なる効果である。
更に、様々な異なる材料で作ることができる食用商品用パッケージ又はディスペンサを提供することは、本発明の効果である。
【００３９】
更に、様々な量の商品を保持するためにサイズ変更されるようにフレキシブルである食用商品パッケージ又はディスペンサを提供することは、本発明の効果である。
本発明の更なる特徴及び効果は、本発明の以下の詳細な説明及び図面に記述されかつそれらから理解される。
【実施例】
【００４０】
本発明は、食用商品パッケージ及びディスペンサの複数の実施形態を含む。記述した実施形態では、食用商品は、食用商品の薄っぺらな、矩形片のような、商品のスティックとして図示される。代替的に、ここで説明する商品は、ブロック形、ピロー（枕）形、円形、楕円形、矩形、三角形及びこれらのいずれかの組合せのような、あらゆる適格な種類の形状を有しうる。
以下に説明するように、ある実施形態は、紙、ボール紙又は板紙の材料で作られているとして説明され、他の実施形態は、プラスチック材料で作られているとして開示される。本発明は、ここに開示されてあらゆる材料、並びにあらゆる適格な紙、ホイル（箔）、プラスチック、複合材又は他の種類の材料で作られた、あらゆる実施形態を明示的に含む。更に、ここに説明したパッケージ及びディスペンサは、人間によって、例えば、人間のポケット、パース（財布・ハンドバッグ）、バックパック、等で容易に移動されるべくサイズ変更されると同時に、記述した実施形態は、特定のサイズ及び形状に明らかに限定されない。
【００４１】
いま図、特に図１から図６を参照して、食用商品パッケージ又はディスペンサの一実施形態をディスペンサ１０によって説明する。ディスペンサ１０は、二つの主要部分、具体的に、ハウジング（筐体）１２と、筐体１２にヒンジ（蝶番）で接続されたコンパートメント１４とを含む。図１及び図２は、開いた位置におけるヒンジ取付けコンパートメント１４を示す。図３から図５は、ハウジング１２に関して閉じた位置におけるコンパートメント１４を示す。
【００４２】
図示した実施形態におけるハウジング１２は、一般に、頂壁１６、側壁１８及び２０、後壁２２（後壁部分２２ａ及び２２ｂを集合的に示す）、及び底壁２４（底壁部分２４ａ及び２４ｂを集合的に示す）を有している５面構造である。ヒンジ取付けコンパートメント１４は、前壁２６と側壁２８及び３０とを含む。
【００４３】
コンパートメント１４の前壁２６及びハウジング１２の頂壁１６は、望む場合に閉じた位置にコンパートメント１４を保持することを助けるために一実施形態において協働装置を含む。図６のファントム（部分透視）に示す任意の装置５８ａ及び５８ｃは、一つの例を提供する。舌（タン）５８ａは、前壁２６から延伸しかつ折り目５８ｂに沿って頂壁１６に折り重ねる。舌５８ａは、頂壁１６によって画定されるスロット又は溝５８ｃに挿入されて、摩擦嵌め（フリクション・フィット）を生成する。代替的に、舌５８ａは、頂壁１６から伸長しかつ前壁２６は、スロットを画定する。更に代替的に、舌５８ａ及び頂壁１６は、互いに解放可能に付着するように構成される。
【００４４】
図６は、平面でパッケージ又はディスペンサを示す。図６は、コンパートメント１４がハウジング１２と一体化されて形成される一実施形態を示す。コンパートメント１４は、ヒンジ線３２でハウジング１２にヒンジで取付けられる。代替実施形態では、コンパートメント１４は、ハウジング１２とは別の一片として形成されかつ底部分２４ａでハウジング１２に接着剤でつけられるかさもなければ取付けられる。
【００４５】
図示した実施形態では、単一片パッケージ又はディスペンサ１０は、接着剤またはグルー３４を介して底部分２４ａ及び２４ｂで互いに接着剤でつけられるかさもなければ嵌合される。底部分２４ａ上に固体物で示したグルー又は接着剤３４は、図６の頁から外に向いている部分２４ａの側（サイド）で受け取られる。底部分２４ｂ上にファントム・ラインで示したグルー・スポット３４は、その部分の裏面（アンダーサイド）に配置される。部分２４ａは、下方に折られかつ底壁２４を形成すべく部分２４ｂの裏面に接着剤でつけられる。その約束事（コンベンション）は、この明細書全体を通して用いられる。同様に、図示されていないが、後壁部分２２ａ及び２２ｂは、後壁２２を形成すべく互いに接着剤でつけられるかさもなければ固定して嵌合される。
【００４６】
図１及び図２は、消費者４０がディスペンサ１０を振った場合に、ハウジング１２がハウジング１２に関して所望の角度位置でコンパートメント１４を留めるまで、コンパートメント１４がハウジング１２からヒンジにより落ちることを示す。消費者４０がディスペンサ１０を振った場合、コンパートメント１４は、食用商品又は食用スティック３６を露出するように開く。消費者４０は、一つの手でディスペンサ１０を保持しそしてもう一方の手で食用商品３６の一定量またはスティックを取り出しうる。商品３６は、ここに記述される各実施形態による場合のように、ホイル（箔）又は他のバリヤー材で包か、又は露出することができる。
【００４７】
図２及び図６は、ハウジング１２に関して所望の開放隅角でコンパートメント１４を留めるための異なる実施形態を示す。図２は、一実施形態における側壁１８及び２０がそれぞれ、図１及び図２のファントム・ラインで示した折り重ねられたか又は接着されたリップ３８を画定するか又は含むことを示す。側壁１８及び２０のリップ３８は、コンパートメント１４の側壁２８及び３０と一体化されて形成されたか又はそれに取り付けられたフランジ・エッジ４２を捕まえる。即ち、消費者４０がディスペンサ１０を前方に向けて振った場合、コンパートメント１４は、コンパートメント１４のフランジ・エッジ４２がハウジング１２のリップまたは留め金（キャッチ）３８に打ち当るか又は当接するまでハウジング１２からヒンジで落ちる。その当接は、ハウジング１２に関して所望の開放隅角でハウジング１４を停止し、消費のために一つ以上を次いで取り出すことができる複数の食用商品３６を露出する。
【００４８】
図６は、所望の開放隅角でコンパートメント１４を留めるための代替実施形態を示す。図６は、パッケージ１０が組み立てられる場合に頂壁１６の下に折られる、リップ４４を示す。リップ４４又は他の同様な留め要素（キャッチング・エレメント）を必要ならば頂部１６にタックする（鋲で留める）か又はグルーする（グルーで接着する）ことができる。図６に更に見られるように、コンパートメント１４は、コンパートメント１４が所望の開放位置に到達した場合にリップ４４の後方向−対向折り畳みエッジ４８を留めるためにコンパートメント１４の側壁２８及び３０に成形されかつ位置決めされる留め金４６を備えている。
【００４９】
図６に示したコンパートメント１４を停止するための実施形態は、図１及び図２に関して説明した実施形態よりも少ない材料及びアセンブリ（組立体）を必要とする。しかしながら、図２に示した実施形態は、ハウジング１２の二つの側面（サイド）に沿って留め金３８を供給し、従ってよりロバストなパッケージ１０を供給しうる。停止コンパートメント１４は、側壁２８及び３０に留め金３８及びフランジ・エッジ４２の両方、並びにリップ４４及び留め金４６を採用しうる。
【００５０】
側壁２８及び３０は、消費者４０がコンパートメント１４及びパッケージ１０から一つ以上の露出された食用商品３６を容易に取り出すことを助ける切り欠き（カットアウト）５２を備えているか又は画定する。図３、４及び６に示すように、ディスペンサ１０は、適格なブランド（商標・銘柄）、原料成分情報、栄養成分情報、バーコード又は他の商品識別子、等のような、複数の異なる種類のしるし（証印）を含むか又は画定する。図３及び４に示すように、しるし５４のような、しるしのあるものは、隆起させるか又は浮き出させることができる。ここに説明した実施形態のそれぞれは、係るしるしを含むことができる。
【００５１】
図３及び図４は、パッケージ又はディスペンサ１０が異なる大きさ（サイズ）で供給されうることを示す。図３のパッケージ又はディスペンサ１０は、食用商品の１５個の片を保持するように一実施形態でサイズ変更される。図４のパッケージ１０は、食用商品の５個の片を保持するように一実施形態でサイズ変更される。パッケージ１０を採用している商品ラインは、それにより異なってサイズ変更されたパッケージ及び異なる商品量及び大きさに対して同じ外観を含むことができる。
食用商品の片は、底壁２４の平面に実質的に平行な平面に横たわって取り出されるように示されるが、食用商品の片は、代替的に底壁２４に実質的に垂直な平面に横たわって配置されうる。
【００５２】
図５は、一実施形態におけるパッケージ又はディスペンサ１０が、透明なセロファン包装紙のような、包装紙５０で最初に覆われるか又は密封されるということを示す。図５に示した実施形態では、消費者４０が難なくセルファン包装紙を取り除くことができるように開封帯（ティアーストリップ）が備えられている。包装紙５０及び開封帯５６は、パッケージ１０及び/又は商品３６に改竄の証明を供給する。開封帯５６は、包装紙５０の異なる場所に設けることができかつ図５に示す位置に限定されない。
【００５３】
いま図７〜図１１を参照すると、本発明のパッケージ又はディスペンサの第２の実施形態がパッケージ又はディスペンサ６０によって示されている。ディスペンサ６０は、頂部分６２、頂部分６２にヒンジで接続された底部分６４を含む。頂部分６２は、頂壁６６、前壁６８、側壁７０及び７２、そして後壁７４を含む（図１１）。図１１は、平面でディスペンサ又はパッケージ６０を図示しかつパッケージ又はディスペンサ６０が図１１の視点から分かるように後壁７４の頂部分側及び側壁７０に折り畳み可能に接続されたフラップ７６の裏側に配置された接着剤３４によって一般的に互いに保持されることを示す。
【００５４】
底部分６４は、底壁７８及び前壁８０を含む。頂部分６２及び底部分６４の壁は、頂部文６２がヒンジ・ライン８２に沿って開けられるか又は閉じられる場合に（図１１で最もよく分かる）、食用商品３６は、それぞれ露出されるか又は覆われるように図７〜図１０に図示したように曲げられる。
【００５５】
図１１に示すように、一対のグルーストリップ８４又は他の適当なグルーパターンが底壁７８のトップ（頂部）に配置されるか又はそれによって画定される。各食用商品３６は、図７及び図８に示すようにグルーストリップ８４に商品の一つの側（サイド）で解放可能に固定されるか又は接着される。商品３６は、図８に示すように、一実施形態において、ホイル包装紙のような、外側包装紙を有するか又は含む。消費者４０が底部分６４から離れるようにヒンジにより頂部分６２を移動した場合、食用スティック３６は、図７及び図８に示すように扇状又はアレー状に消費者４０に露出される。扇状の構成は、食用スティック３６がそれぞれ固定端及び自由端を有するように形成され、固定端が自由端より更に密にパックされる傾向がある。これに関して、底壁７８は、底壁７８に（直接的又は間接的に）接着された食用片の扇状プレゼンテーションを容易にするか又は向上するために、底壁のアーチを許容すべくフレキシブルでありうる。
【００５６】
グルーストリップ８４として用いられるグルーは、所定の位置にスティック３６をしっかり保持する。しかしながら、グルーは、スティック３６のホイル包装紙を破いて開けるために、あまり強力でないのが好ましい。代替的に、スティック３６は、それぞれ包装紙が底壁７８に接着したままで消費者にその各々の包装紙からスティック３６を取り出させるように底壁３８にそれぞれがグルーでくっつけられた包装紙を備えうる。
【００５７】
一実施形態において、グルーストリップ８４の一つは、ホットメルト又はホットタック形ストリップであり、他方のストリップ８４は、冷圧（コールドプレス）グルーストリップである。ホットスタックストリップ８４は、スティック３６の機械的押圧及び潜在的変形なしで食用スティック３６又はそれらの包装紙を配置しかつホットグルーに接着することができるので製造目的に対して有利である。ホットグルー又はホットタックが冷えた場合、スティック３６は、所定の位置にしっかり保持される。メントールを含んだ食用商品は、ホットグルー又はホットメルト接着に長期にわたると適合しないということを見出した。メントールがホットグルーに入り込み、それを分解する傾向があると考えられる。長期にわたると、分解又は損傷したホットグルー・アタッチメントは、劣化して、ストリップ８４及び底壁７８から食用スティック３６を望ましくなく緩ませる。
【００５８】
コールドストリップ８４は、スティック３６がそのストリップに機械的に押圧されるということを必要とする。しかしながら、コールドグルーは、ホットグルーで見られるようなメントールを含んだ商品と同じ問題を有するようには思われない。ホット及びコールドグルーストリップの組合せは、ストリップ３６がコールド押圧のために適切な位置に保持されるように製造処理中に食用スティック３６を底壁７８に一時的に接着させることができる。コールドストリップは、その後、商品を消費するために必要な期間にわたって食用スティック３６を保護する。
【００５９】
パッケージ又はディスペンサ６０は、図７〜図１１に図示しない多くの代替を含む。まず、ディスペンサ６０は、ホット及びコールドグルーの組合せ又は構成を用いて、適格な所望の数のグルーストリップ８４を有することができ、グルーストリップは、底７８に又はたぶん頂壁６６の裏面にでも所望の方法で配置されかつ配向される。別の代替実施形態では、一つ以上のグルーストリップ８４が個々の紙片、板紙、又は他の適当な基板に配置される。食用スティック３６は、個々の基板に接着される。そのサブアセンブリは、次いで、ディスペンサ６０の下部６４の底壁７８にホットタック及び/又はコールドプレスされる。
【００６０】
図９〜図１１に示すように、パッケージ６０は、例えば、ブランドのしるし(branding indicia)、バーコーディング(barcoding)、原料成分情報、及び栄養成分情報のような適当なしるしを含む。頂部６２の前壁６８は、消費者４０が底部６４から頂部６２をヒンジで開くのを助けるカットアウト（切り欠き）８６を画定するか又は含む。一実施形態におけるディスペンサ６０は、セロファン包装紙のような適当な包装紙で最終的に包装される。包装紙は、ディスペンサ１０に関して上述したように開放帯（ティアーストリップ）で操作する。
【００６１】
図７〜図９は、ディスペンサ６０のより大きな又は１５個のスティック・バージョンを図示する。図１０は、ディスペンサ６０のより小さな又は５個のパック・バージョンを図示する。ディスペンサ１０によるように、パッケージ６０を採用している製造ラインは、それにより異なってサイズ変更されたパッケージ及び異なる商品量及び大きさに対して同じ外観を含むことができる。
【００６２】
パッケージ１０及び６０は両方とも一度に消費者４０を複数の商品の片に露出しかつ消費者が露出された商品のいずれか又はより多くを選択できるようにする。片は、全て実質的に同じでありうるか、又は様々な異なる片（例えば、異なる風味、大きさ、質感、タイプ、スタイル、等）が供給されうる。本発明のパッケージングは、パッケージにおけるその位置に係わりなく消費者を消費者の選択した片へアクセスさせる。パッケージは、両方ともに各使用後に再び閉じることが可能であり、かつ意図的に開かれるまでパッケージ１０及び/又は６０をその閉じた位置に維持するための嵌合タブ/スリット、摩擦デバイス、接着剤又は他の手段を備えうるしかつ上述した材料のいずれかで作ることができる。平面にディスペンサ１０及び６０を示している図６及び図１１によってそれぞれ示されるように、パッケージ１０及び６０は、一実施形態において紙、板紙又はボール紙から一片で作られる。代替的に、パッケージング１０及び/又は６０は、プラスチック等で作られうる。
【００６３】
いま図１２〜図２２を参照すると、本発明の食用商品パッケージ及びディスペンサの更なる代替実施形態がパッケージ又はディスペンサ９０によって図示されている。パッケージ又はディスペンサ９０は、ヒンジでベース９４に接続された蓋９２を含むか又は画定する。一実施形態におけるディスペンサ９０は、プラスチック又はポリマー射出成形又は熱成形で主に作られる。蓋９２及びベース９４の内側構造は、それにより単一ヒンジ取付け片として作ることができる（ヒンジ１１２によって接続された商品ホルダー９８及び１１４を含む以下の説明を参照）。蓋９２及びベース９４の外側構造は、単一射出成形片に取付けられた外側壁又は殻９６である。
【００６４】
一実施形態における外側壁又は殻９６は、上部及び下部射出形成商品ホルダー９８及び１１４にグルーで接着されたかさもなければ接着剤で接着されたホイル、紙又は板紙外側殻である。図１８〜図２０で最もよく分かる射出成形商品ホルダー９８及び１１４は、それぞれ３つの商品コンパートメントを画定する。ホルダー９８は、コンパートメント１００、１０２、及び１０４を画定する。
【００６５】
商品担持コンパートメント１００、１０２及び１０４は、それぞれ周辺側面１０６及び底部１０８を含み、一実施形態において上部商品ホルダー９８と一体化されて画定されるか又は形成される。側面１０６は、所望の数の食用スティック３６を保持するために所望の距離で底部１０８から伸長する。図２０及び図２２に示すように、一実施形態において、コンパートメント１００、１０２及び１０４の側面１０６は、コンパートメント１００、１０２及び１０４のそれぞれにおける二つの食用スティック３６へアクセスするために十分な距離でコンパートメント１００、１０２及び１０４の底部１０８から伸長する。スティック３６は、他のスティックの上に積重ねられたものである。
【００６６】
また、上部射出成形ホルダー９８は、それぞれがコンパートメント１００、１０２及び１０４によってさもなければ画定されるオープン・スペース（空間）のあるものを充たすために外側に向けて多少突起する側壁１１０を画定する。突起壁１１０は、商品が壁１１０の間に装填（ロード）される場合に食用商品に多少の圧縮力を掛ける。突起壁１１０は、それらの各商品担持コンパートメント１００、１０２及び１０４にそれらを維持しかつ所定の位置に取り出し可能に食用商品３６を保持するために商品担持コンパートメント１００、１０２及び１０４の中に伸長しかつ食用商品の一部又は部分に重なり合う一つ以上の伸長部分又は突起１１１を有する(図２０参照)。突起壁１１０（横方向）及び/又は突起１１１（縦方向）によって印加される圧縮力は、十分であり、そこで図１２及び図１７に示すように、消費者４０は、コンパートメント１００、１０２又は１０４から商品３６が落ちることなくベース９４から蓋９２を開けることができる（本明細書の残りの部分について、突起壁１１０は、横方向及び/又は縦方向の圧縮力の一方又は両方を示す）。その後、消費者４０は、コンパートメント１００、１０２又は１０４内の又はさもなければディスペンサ９０内の所望の位置から食用商品３６を選択することができる。
【００６７】
コンパートメント１００、１０２及び１０４は、それぞれ食用商品３６の二つのスティックを保持するように図示されているが、それらのコンパートメントは、適切かつ所望の数の係る商品を保持するように代替的にサイズ変更することができる。更に、コンパートメントのそれぞれは、同じ数の商品３６を保持して示されているが、コンパートメントは、異なる量の商品３６を代替的に保持することができ、かつ各コンパートメントの商品は、実質的に同じでありうるか、又は異なりうる（例えば、あるコンパートメントにおける風味が他のコンパートメントとは異なる）。
【００６８】
図１５及び図２２で最もよく分かるように、一実施形態における外側殻又はカバー（覆い）９６は、ヒンジ部分１１２を包み込みかつ底部商品ホルダー１１４の外面を覆うように伸長する。代替的に、カバー又は外側殻９６は、例えば、紙又は板紙の複数の片で作られる。
【００６９】
図１８〜図２２は、一実施形態における頂部商品ホルダー９８、ヒンジ部分１１２及び底部ホルダー１１４が全て単一射出成形又は熱成形片として作られることを図示する。代替的に、商品ホルダー９８及び１１４は、個別に作られ、かつ例えば、カバー又は殻９６に適切なレジストリで接着されることによって、パッケージ９０を生成するように組立てられる。ヒンジ部分１１２と一体化してホルダー９８及び１１４を形成することは、組立てを簡略化しかつプラスチック・ヒンジ１１２に用いられる材料が劣化するか又は分解することなくパッケージ９０を複数の回数開閉させることができるようなロバストな総体的パッケージを供給する。
【００７０】
多くの点で下部商品ホルダー１１４は、上部ホルダー９８のミラーイメージ（鏡像）でありかつ頂部商品ホルダー９８の各コンパートメント１００、１０２及び１０４に対して嵌め合わせ（メーティング）又は整合（マッチング）コンパートメント１１６、１１８及び１２０を画定する。ホルダー１１４のコンパートメント１１６、１１８及び１２０は、それぞれコンパートメント１００、１０２及び１０４に対して上述したような底部１０８、周辺側壁１０６及び商品保持突起壁１１０を含む。しかしながら、図２０は、ホルダー１１４のコンパートメント１１６、１１８及び１２０に対する側壁１０６が、コンパートメント１００、１０２及び１０４に保持された２つの商品に対して３つの食用商品３６を保持するようにサイズ変更されるということを図示する。コンパートメントの各嵌め合わせペア、具体的には、ペア１００/１０６、ペア１０２/１１８及びペア１０４/１２０は、合計５つの商品３６を保持する。集合的に、コンパートメント・ペアは、合計所望数１５個の食用スティック３６を保持する。
【００７１】
図１６は、例えば、ヒンジ１１２に直接隣接した、コンパートメント１０４及び１２０だけを用いて、単一コンパートメント・ペアを有する、パッケージ９０に対する代替実施形態を図示する。実施形態では、図１６のディスペンサ９０は、合計５個の食用商品３６を保持する。図１４は、パッケージ又はディスペンサ９０が消費者４０によって容易に取扱わられかつ（ここに説明したディスペンサ６０及び他の実施形態のように）既知の食用商品パッケージより一般的に幅が広くかつ薄っぺらであることを示す。幅広でかつ薄っぺらな構成は、コートやシャツ又はズボンのポケットに置かれることを助長する。
【００７２】
コンパートメント１００、１０２、１０４、１１６、１１８及び１２０は、ヒンジ１１２と同じ方向に伸びているが、ディスペンサ９０の商品コンパートメントは、異なる長さ又は異なる形状の商品３６を保持しかつ取り出すために、一般的にヒンジ１１２の方向に直角な方向に代替的に伸びることができるか又は更に代替的にヒンジ１１２の方向に関して所望の角度で伸びることができる。
【００７３】
図１８及び図１９は、頂部及び底部ホルダー９８及び１１４がそれぞれ突起側壁１１０と非突起又は周辺側壁１０６との間に開口１２２を備えているということを図示する。開口１２２は、消費者４０が一つ以上の商品の側面を容易に把持しかつそのコンパートメントから商品を覗き見することができるようにする。
【００７４】
ホルダー９８及び１１４の外周を形成している側壁１０６は、商品の新鮮さ及び保護のために疑似気密シールを生成するために蓋９２及びベース９４が互いにプレス嵌め又はスナップ嵌めするように嵌め合わせ雄及び雌ペアで形成される。実際、図２０は、蓋９２の上部ホルダー９８の突起周辺１２４がベース９４の下部ホルダー１１４によって形成されたノッチ１２６に嵌め込むか又は嵌め合わせることを図示する。突起周辺１２４及びノッチ１２６は、図１８及び図１９に示すように、それぞれホルダー９８及び１１４の周辺の全周に伸長（拡張）する。図２１及び図２２は、突起周辺１２４及びノッチ１２６が、ホルダー９８及び１１４の周辺の全周にスナップ嵌め又はプレス嵌めシールを形成することを図示する。
【００７５】
図１２、１３及び１６は、パッケージ９０が、消費者４０がベース９４から蓋９２を開けるのを助けるインデント１２８を画定できることを図示する。代替的に、図１２〜図２２のそれぞれに示されるように、パッケージ又はディスペンサ９０は、外側周辺に沿ってフランジが付けられ、それによって消費者４０がパッケージ９０を容易に把持しかつ開けることができる構造を供給する。
【００７６】
図１３は、パッケージ９０の開口又は非ヒンジ側を覆うために不正開封防止シール１３０を備えることができることを更に図示する。シール１３０は、適当な方法でディスペンサ９０に配向されるか又は配置することができる。消費者４０は、ディスペンサ９０から商品を最初に取り出すためにテープ付け又は接着付けされたシール１３０を引き離す。その後、消費者は、係る商品を取り出した後パッケージ９０を再び閉じるために周辺シールと一緒にプレス嵌め又はスナップ嵌めする。
【００７７】
上述したように、一実施形態におけるパッケージ９０は、商品ホルダー及びヒンジを画定するプラスチック片で作られる。一つの好適な実施形態では、プラスチックは、射出成形又は熱成形される。一実施形態におけるカバー９６は、紙又は板紙で作られた感圧ラベルである。カバー９６は、プラスチック片に接着される。代替的に、カバー９６は、プラスチック片と一体的に作られ、かつしるしは、プラスチックの上に直接印刷される。
【００７８】
図２３及び図２４をいま参照すると、パッケージ又はディスペンサ９０に類似するが代替実施形態がディスペンサ１４０によって図示されている。図２３は、開いたディスペンサ１４０を図示する。図２４は、閉じたディスペンサ１４０を図示する。ディスペンサ１４０は、蓋１４２及びベース１４４を含む。ディスペンサ１４０とディスペンサ９０との間の主な相違は、１５個全ての食用商品３６がベース１４４に格納されかつ収容されることである。蓋１４２は、商品を格納しないがその代わりに商品３６をヒンジによりカバーしたりカバーをとったりする役目をする。
【００７９】
ディスペンサ９０によるように、ディスペンサ１４０は、一実施形態において紙又は感圧ラベルである、外側の皮（スキン）又は殻（シェル）１４６を一実施形態において含む。ラベル１４６は、一片の射出成形又は熱成形プラスチックの外側の周りが一つ以上の片を用いて包まれる。プラスチック片は、一実施形態において、プラスチック蓋部分１４８、プラスチックベース部分１５０、及びプラスチック蓋部分１４８をプラスチックベース部分１５０にそして結果として蓋１４２をベース１４４にヒンジで接続するヒンジ部分１５２を含む。代替実施形態では、蓋部分１４８及びベース部分１５０は、別々に熱成形又は射出成形されかつ皮又は殻１４６を介してヒンジで互いに接続される。
【００８０】
図示した実施形態では、各コンパートメント１５４、１５６及び１５８は、５個のスティック３６、合計で１５個の所望のスティックを保持する。コンパートメントは、選択的に、個別に及び/又は集合的に大体５個及び１５個のスティックをそれぞれ保持する。また、ディスペンサ１４０の代替構成は、単一のコンパートメント、例えば、５個のスティック・ディスペンサを有するように成形するか、又は適切な量の商品３６を保持するようにサイズ変更することができるということも理解されるべきである。
【００８１】
パッケージ９０によるように、プラスチックベース部分１５０は、複数の商品保持コンパートメント１５４、１５６及び１５８を形成する。これらコンパートメントのそれぞれは、商品３６を取り出し可能に保持するために上述した同じ種類の装置を用いる。特に、各コンパートメントは、コンパートメントを分ける周辺側壁１０６と、所定の位置に商品３６を摩擦的にかつ取り出し可能に保持する突起壁１１０とを含むか又は画定する。また、コンパートメント１５４、１５６及び１５８は、消費者４０が所望のコンパートメント１５４、１５６又は１５８から所望の商品３６を容易に取り出すことができる開口１２２を含むか又は画定する。
【００８２】
パッケージ又はディスペンサ１４０は、ディスペンサ９０のように、コンパートメント１５４、１５６及び１５８の周辺の回りにスナップ嵌め又はプレス嵌め疑似気密シールを形成する。パッケージ１４０は、代替の雄突起部分１６０と、プレス嵌め又はスナップ嵌めシールを形成するように嵌め合わせる代替のノッチ１６２とを供給する。突起部分１６０は、ノッチ１６２の円形ノッチ１６６と嵌合する円形突起１６４を含む。また、円形ノッチ１６６は、消費者４０がプラスチックベース部分１５０から商品を取り出すことを助けるために側壁１０６に伸長しかつそれを通る。即ち、消費者４０は、開口１２２を介して商品の長い側面を把持することによって又はノッチ１６６を介して商品の短い側面を把持することによって商品を取り出す。また、突起１６４及びノッチ１６６は、ディスペンサ９０の突起周辺１２４及びノッチ周辺１２６を備えることもできる。
【００８３】
代替パッケージ１４０は、商品９０と概ね外形寸法及び形状を有することができる。そのために、商品１４０は、商品９０のように、消費者のズボンやシャツのポケットに容易に適合するようにサイズ変更されかつ形状変更される。また、パッケージ１４０は、比較的気密で、頑丈でありかつ非包装又はホイルで別々に包装された商品３６を格納することができる。
【００８４】
いま図２５〜図３１を参照すると、本発明の食用商品パッケージ及びディスペンサに対する更なる代替実施形態がパッケージ１７０によって図示されている。パッケージ１７０は、一つの好適な実施形態において、プラスチック又は他の種類の比較的堅い複合材で作られている。図３８及び図３９は、パッケージ１７０に対して記述される概念が紙又板紙パッケージ又はディスペンサに適用されるような、代替であるがパッケージ１７０に類似する実施形態を図示する。
【００８５】
図示した実施形態のパッケージ１７０は、第１及び第２の部分又は半分１７２及び１７４を含む。一実施形態における部分１７２及び１７４は、それぞれパッケージ１７０の全容積の半分に関して画定する。代替的に、部分１７２及び１７４によって画定された容積は、異なるか又は不均衡である。部分１７２及び１７４は、部分１７２及び１７４と一体的に又は別に形成することができる、リビング・ヒンジ１７６を介して一緒に保持される。例えば、部分１７２及び１７４は、個別の片として形成することができかつ両方の部分１７２及び１７４の裏に接着される紙又は板紙感圧ラベルを介して互いにテープで又はさもなければヒンジで接続される。しかしながら、図２９〜図３６は、一つの好適な実施形態において、パッケージ１７０は、一体形成型の射出成形又は熱成形プラスチック又はポリマー構造であることを図示する。
【００８６】
図３１、図３２、図３５及び図３６は、部分１７２がスペーサ１７８を含むか又は画定することを図示する。部分１７４は、スペーサ１８０を含むか又は画定する。スペーサ１７８及び１８０は、どのくらいの数の食用スティック３６を部分１７２及び１７４の内側に収容又は格納することができるかを決定することを支援する。図示した実施形態では、スペーサ１７８及び１８０は、８個の商品３６を部分１７２に格納しかつ７個の商品３６を部分１７４に格納することができる。図示したパッケージ１７０に格納される商品の合計数は、１５個である。図２８は、終端１８２とヒンジで嵌め合わせる、部分１７２だけが設けられた代替実施形態を図示する。図２８は、例えば、５個又は７個のような、所望の少ない量の商品３６を保持する、ディスペンサ１７０の単一スタック・バージョンを図示する。いずれのバージョンも望ましい限り多くの様々な大きさの商品を保持することができる。部分１７２及び１７４は、望ましいものと同じか又は異なる商品の同じか又は異なる量を保持することができる。
【００８７】
図２５及び２８は、ディスペンサ１７０が、商標、原料成分、栄養成分、及びバーコード情報のような、適当なしるしを含む、感圧ラベル１８４を最初に備えていることを図示する。また、ラベル１８４は、消費者４０がパッケージ１７０が使用前に乱されていないか又は改竄（不正開封）されていなことを確保することができる、不正開封装置としても動作する。
【００８８】
図２９〜図３１は、開いた位置のパッケージ１７０を図示する。図３３〜図３７は、閉じた位置のパッケージ１７０を図示する。図面の両方のセット、並びに図２５〜図２８は、部分１７２及び１７４がそれらの開口で嵌め合わせ正弦曲線形状エッジ１８６及び１８８をそれぞれ画定することを図示する。両方のエッジ１８６及び１８８は、対応する部分１７２又は１７４の対応するオープン又はノッチされた部分１８８ｂ、１８６ｂと嵌合する、タブ又は突起部分１８６ａ、１８８ａを含む。エッジ１８６及び１８８のノッチ又はダッグアウト部分１８６ｂ、１８８ｂは、消費者４０が一つ以上の商品に到達しかつ対応する部分１７２又は１７４から容易に取り出すことができるようにする。
【００８９】
プラスチック・パッケージ又はディスペンサ１７０は、一実施形態において商品３６がそれから取り出された後で一緒にスナップ又はプレス嵌めする。スナップ嵌め又はプレス嵌めは、商品の新鮮さを保護しそしてまたパッケージ１７０が開かずかつ商品を不注意に取り出さないように部分１７２及び１７４を一緒に保持する気密シールを提供する傾向がある。
【００９０】
突起部分１８６ａ及び１８８ａは、各々、対応するノッチ部分１８８ｂ及び１８６ｂと嵌合するスナップ嵌め装置１９０及び１９２をそれぞれ含むか又は画定する。例えば、図２９に示されるように、突起部分１８６ａは、エッジ１８８のダッグアウト部分１８８ｂとスナップ嵌めする。同様に、エッジ１８８ａのスナップ嵌め装置１９２は、エッジ１８６のダッグアウト部分１８６ｂとスナップ嵌めする。また、図３１は、画定エッジ１８８から伸長している隆起部分を含む、スナップ嵌め装置１９２を図示する。その隆起部分又は装置１９２は、エッジ１８６のノッチ部分１８６ｂとスナップ嵌めする。
【００９１】
エッジ１８６及び１８８は、図３３及び図３７のパッケージ１７０の外側から見られるように、嵌合した場合に連続かつ一貫したシームを形成する。突起スナップ嵌め装置１９０及び１９２は、エッジ１８６と１８８の間に生成されたシームの後で、図３３及び図３７にファントム・ラインで示したように、部分１７２及び１７４を一緒にロック又はプレス嵌めする。
【００９２】
パッケージ１７０は、便利でかつ再使用可能な食用商品保持及び取り出し装置を提供する。図２５、２７及び２８は、パッケージが消費者４０のズボン又はシャツのポケットにより容易にかつより快適に適合するようにパッケージ又はディスペンサ１７０の形状をアーチ状にすることができるということを図示する。他方、図２９〜図３７は、図３５に示すようにパッケージ１７０の前方が中間で多少曲げられて、軽度の長円形を生成しているが、パッケージ１７０に対する一般な非アーチ形状を図示する。ヒンジ１７６に導く部分１７２及び１７４の後壁は、実質的に真直ぐである。部分１７２及び１７４の側面は、心地よさ及び取扱いを簡略化するために円形にされている。
【００９３】
図２６、図２７、図２９〜図３１、図３５及び図３６に示されるように、スティック３６の長い側面エッジは、消費者がパッケージ１７０を開けた場合に消費者４０に露出される。その配向は望ましく、そこで消費者がエッジ１８６及び１８８のダッグアウト部分１８６ｂ及び１８８ｂを介してコンパートメント１７２及び１７４の一つから最も外側のスティック３６を容易に摺動することができる。代替的に、スティック３６は、図示した配向から９０°回転することができ、そこでパッケージ１７０が開いた場合に食用スティックの側面（ブロードサイド）が消費者の方を向く。
【００９４】
図示していないが、スティック３６は、スペーサ１７８及び１８０は、それぞれ部分１７２及び１７４の他の部分（パーツ）に鋲で留める（タックする）か又はグルーで接着することができる。係るグルーイング又はタックキングは、特にいくらかの又は大部分の食用商品３６が既に消費されている場合に、その開放により又は開いている間に、パッケージ１７０から離れる（外れる）スティック３６の可能性を最小にする傾向がある。
【００９５】
いま図３８及び３９を参照すると、本発明のパッケージ又はディスペンサに対する更なる実施形態がパッケージ又はディスペンサ２００によって図示されている。パッケージ又はディスペンサ２００は、プラスチック・ディスペンサ１７０の紙又は板紙バージョンである。パッケージ２００は、ユーザがヒンジ・ライン２１８に沿ってパッケージ２００を割る（クラック・オープンする）か又はこじ開けて（ブレーク・オープンして）かつ正弦曲線形状のそれぞれによって画定されたダッグアウト又は開口を介してヒンジ取付け部分の一つから商品を取り出すことができる、１７０に関して主に上述した同じ正弦曲線形状エッジを用いる。
【００９６】
図示したように、パッケージ２００は、前壁２０２、後壁２０４、底壁２０６、頂壁２０８、側壁２１０及び２１２、及びカバー又はフラップ２１４を含む。頂壁２０８は、頂壁部分２０８ａ及び２０８ｂを集合的に示す。底壁２０６は、底壁部分２０６ａ及び２０６ｂを集合的に示す。
【００９７】
平面でパッケージ又はディスペンサ２００を示している、図３９に示すように、側壁部分２１０の表（頂部側）は、側壁部分２１０の裏（底部側）に接着剤又はグルーを介して接着される。図示していないが、底壁部分２０６ａ及び２０６ｂは、頂壁部分２０８ａ及び２０８ｂと同様に、一緒にタック又はグルーされるということが理解されるべきである。フラップ２１４は、前壁２０２に設けられるか又はそれによって画定される穴あき正弦曲線ライン２１６にわたり初期不正開放防止被覆を供給する。消費者４０は、そこから食用商品３６を取り出すために穴あきライン２１６に沿ってパッケージ２００を割りかつ折り曲げライン２１８を介してディスペンサ１７０を半分に折り曲げる前にまずカバー又はフラップ２１４を取り外す。
【００９８】
図３９は、消費者４０がパッケージ２００を半分又は二つに割った場合に、割れが前壁２０２に沿ってだけではなく側壁２１０及び２１２に沿っても発生するように穴あきライン２１６が側壁２１０及び２１２を通って伸長するということを図示する。後壁２０４は、そのまま一緒であるが折り曲げライン２１８に沿って折り曲げられる。
【００９９】
商品３６は、図３８に図示されたいずれかの配向でパッケージ２００に装填することができる。消費者４０は、パッケージ１７０に対して上述したのと同じ方法でパッケージ２００から商品を取り出し、正弦曲線穴あきライン２１６によって各半分に画定されたダッグアウト又はキャビティ部分を介して一つ以上のスティック３６を取り出す。商品が取り出された場合には、消費者は、エッジ画定ライン２１６が嵌合するようにパッケージ２００の二つの部分を閉じる。その後、フラップ２１４は、パッケージが使用の間に再び開くことを防ぐためにライン２１６にわたり折り曲げられる。その目的で、フラット２１４又はフロント２０２は、フラップ２１４がフロント２０２に接着するか又はくっつく（粘着する）ことを助ける接着剤の量が供給されうる。フラップ２１４及びフロント２０２は、使用の間に摩擦的に及び/又は接着剤によりパッケージを一緒に保持する、（図６に関して示された）舌及びスロット構造を代替的に備えることができる。
【０１００】
パッケージ２００は、一実施形態において食用商品３６の１５個のスティック（例えば、ライン２１６の一方の側に７個のスティック及び他の側に８個のスティック）を保持するようにサイズ変更される。代替的に、パッケージ２００は、より少ないか又はより多い量を保持するようにサイズ変更することができる。一実施形態において、スティック３６は、商品を所定の位置に保持することを助けるために頂壁２０８及び底壁２０６に鋲で留められるか又はグルーで接着される。ストリップ８４（図１１）のような、グルーストリップは、ホット又はコールドグルーの組合せとして用いることができる。
【０１０１】
最初にパッケージされる場合、パッケージ２００は、セロファン包装紙のような、適当な包装紙によって包装することができる。一実施形態におけるそのセロファン包装紙は、不正開封装置としての役割もする開封帯を含む。図３９に示すように、上述したような適当なしるしがパッケージ２００のいろいろな位置に備えられている。
【０１０２】
いま図４０〜図４６を参照すると、本発明のパッケージ及びディスペンサの別の実施形態がパッケージ又はディスペンサ２２０によって図示されている。パッケージ又はディスペンサ２２０は、カバー２２２及びトレー２２４を含む。図示したカバー２２２は、食用商品３６の一つ以上のスタックを露出するためにトレー２２４に沿って摺動的に移動する。カバー２２２は、一般的に、頂壁２２６、底壁２２８、そして側壁２３０及び２３２を有する４面構造である。側壁２３２は、図４４に示す側壁部分２３２ａ及び２３２ｂを集合的に示す。側壁部分２３２ａ及び２３２ｂは、図４４に示すように側壁部分２３２ａ及び２３２ｂの、表（頂部）及び裏（底部）にそれぞれ適用された接着剤３４によって示されるように一緒にグルーによってか又は接着剤によって接着される。
【０１０３】
トレー２２４は、一般的に、図４１及び図４２（３面を示している）及び図４５（５面を示している）に示すように３面又は５面構造である。トレー２２４は、底壁２３４と側壁２３６及び２３８とを含む。図４５は、トレー２２４がそれらの商品を所定の位置に保持することを助けるために食用商品３６の外側スタックの頂部にわたり曲げられる追加の頂壁部分２４０及び２４２を含むことができるということを図示する。その目的で、スタックストリップ又はグルーストリップ２４４は、所定の位置に食用商品３６を保持することを助けるために一実施形態において頂壁部分２４０及び２４２に備えられている。グルーストリップ２４４は、上述したあらゆる種類のグルー又は接着剤を含むことができる。グルーは、頂壁部分２４０及び２４２に直接適用するか又は別個の一片の紙２４４に代替的に適用することができ、次いで部分２４０及び２４２に接着される。
【０１０４】
図４２及び図４４に示すように、カバー又はスリーブ２２２は、消費者４０がカバー又はスリーブ２３２にトレー２２４を容易に摺動して出し入れできる開口２４６を一実施形態において含むか又は画定する。実際、図４１に示すように、開口２４６は、パッケージ又はディスペンサ２２０の片手操作を可能にする。図示したように、一実施形態における開口２４６は、長円形を有する；しかしながら、開口２４６は、あらゆる所望の形状を有することができる。
【０１０５】
スリーブ２２２及びトレー２２４の相対的な大きさは、二つの商品スタックを露出するように消費者４０がスリーブ２２２に対していずれかの方向にトレー２２４を摺動しかつ商品３６の他のスタックを露出するように反対方向にスリーブ２２２からトレー２２４を摺動することができるように選択される。スリーブ及びトレーがレジストリにある場合、スリーブ２２２は、商品３６を完全に覆う。それにもかかわらず、中間又は中央スタックの商品は、容易に取得される。パッケージ２２０は、他のディスペンサのように、商品の複数のスタックを露出しかつ消費者４０が所望かつ露出したスタックから選択的に一つ以上の商品を取り出すことができる。更に、ディスペンサ２２０は、パッケージの一つ又は複数の開放側面から選択的に商品アクセスを提供する。
【０１０６】
図４０は、一実施形態において５個のスティックの３つのスタック、合計して所望の１５個の商品３６を含む、より大きなサイズのパッケージを図示する。これまでように、スタックの数は異なりうるし、各スタックにおけるスティックの数は異なりうるし、かつ商品３６の総数及びサイズは変化しうる。図４３は、より少ない量の商品、例えば、５個のスティック３６を保持する、より小さなバージョンを図示する。図４０及び図４３の両方は、一実施形態におけるスリーブ２２６が、消費者４０がカバー又はスリーブ２２２内でトレー２２４を操作することも助けるノッチ２４８を含むか又は画定することを図示する。パッケージは、あらゆる適当な量の適当にサイズ変更された商品を保持するようにサイズ変更される。
【０１０７】
図４１及び図４６は、商品３６がホイル包装紙で個別に供給されるということを図示する。各ホイルストリップ３６は、次いで、中間単一スティック包装紙２５０の内側に配置される。即ち、中間単一ストリップ包装紙２５０は、各ホイル包装された商品３６に供給される。単一ストリップ包装紙２５０は、バンド２５２によって一緒に腹帯される。バンド２５２は、次いでトレー２２４の底壁２３４の所望の位置に接着剤３４を介して接着される。接着剤３４は、上述したホット−又はコールド−形式の接着剤のいずれかでありうる。また、ストリップ２４４に類似する接着ストリップを用いることもできる。
【０１０８】
消費者４０が一つのホイル商品３６を履う場合、単一スティック包装紙２５０が腹帯２５２から外れることとは対照的に商品３６が単一スティック包装紙２５０から取り出されるように、腹帯２５２が単一ストリップ包装紙２５０の回りにしっかりと包装される。更に、単一ストリップ包装紙２５０間及び/又は一つ以上の外側単一ストリップ包装紙２５０と腹帯２５２の内面との間に適当な接着剤又はワックスを適用することができる。
【０１０９】
商品スティック３６は、スリーブ又はカバー２２２の開放端から９０°に開放端が配向される、トレー２２４の開放端を通ってスティックが摺動するように図４１及び図４２に図示するように構成される。それにより、商品３６は、パッケージ２２０から不注意で滑り落ちえない。図示していないが、パッケージ２２０は、トレー２２２がスリーブ２２２から不注意で滑り落ちることを防ぐ、一つ以上の固定装置、例えば、舌及びスロットを含むことができる。
【０１１０】
図示したように、パッケージ２２０は、上述したしるしのいずれかを含む。更に、パッケージ２２０は、セロファンのような、適当な外側包装紙によって最終的に包装される（図示省略）。外側包装紙は、次いで不正開封装置としての役割もする開放帯を含む。
【０１１１】
ここに記述した好適な実施形態に対して様々な変形及び変更が当業者に明らかであるということが理解されるべきである。係る変形及び変更は、本発明の精神及び適用範囲から逸脱することなくかつその意図した効果を損なうことなくなされうる。従って、係る変形及び変更が添付した特許請求の範囲によって網羅されることを意図している。
【図面の簡単な説明】
【０１１２】
【図１】本発明の食用商品ディスペンサ及びパッケージの一実施形態の複数の異なる図の一つである。
【図２】本発明の食用商品ディスペンサ及びパッケージの一実施形態の複数の異なる図の一つである。
【図３】本発明の食用商品ディスペンサ及びパッケージの一実施形態の複数の異なる図の一つである。
【図４】本発明の食用商品ディスペンサ及びパッケージの一実施形態の複数の異なる図の一つである。
【図５】本発明の食用商品ディスペンサ及びパッケージの一実施形態の複数の異なる図の一つである。
【図６】本発明の食用商品ディスペンサ及びパッケージの一実施形態の複数の異なる図の一つである。
【図７】本発明の食用商品ディスペンサ及びパッケージの別の実施形態の複数の異なる図の一つである。
【図８】本発明の食用商品ディスペンサ及びパッケージの別の実施形態の複数の異なる図の一つである。
【図９】本発明の食用商品ディスペンサ及びパッケージの別の実施形態の複数の異なる図の一つである。
【図１０】本発明の食用商品ディスペンサ及びパッケージの別の実施形態の複数の異なる図の一つである。
【図１１】本発明の食用商品ディスペンサ及びパッケージの別の実施形態の複数の異なる図の一つである。
【図１２】本発明の食用商品ディスペンサ及びパッケージの更なる実施形態の複数の図の一つである。
【図１３】本発明の食用商品ディスペンサ及びパッケージの更なる実施形態の複数の図の一つである。
【図１４】本発明の食用商品ディスペンサ及びパッケージの更なる実施形態の複数の図の一つである。
【図１５】本発明の食用商品ディスペンサ及びパッケージの更なる実施形態の複数の図の一つである。
【図１６】本発明の食用商品ディスペンサ及びパッケージの更なる実施形態の複数の図の一つである。
【図１７】本発明の食用商品ディスペンサ及びパッケージの更なる実施形態の複数の図の一つである。
【図１８】本発明の食用商品ディスペンサ及びパッケージの更なる実施形態の複数の図の一つである。
【図１９】本発明の食用商品ディスペンサ及びパッケージの更なる実施形態の複数の図の一つである。
【図２０】図１９の線ＸＸ−ＸＸに沿った断面図である。
【図２１】本発明の食用商品ディスペンサ及びパッケージの更なる実施形態の複数の図の一つである。
【図２２】図２１の線ＸＸＩＩ−ＸＸＩＩに沿った断面図である。
【図２３】本発明の食用商品ディスペンサ及びパッケージの更なる実施形態の複数の図の一つである。
【図２４】本発明の食用商品ディスペンサ及びパッケージの更なる実施形態の複数の図の一つである。
【図２５】本発明の食用商品ディスペンサ及びパッケージの更に別の実施形態の複数の図の一つである。
【図２６】本発明の食用商品ディスペンサ及びパッケージの更に別の実施形態の複数の図の一つである。
【図２７】本発明の食用商品ディスペンサ及びパッケージの更に別の実施形態の複数の図の一つである。
【図２８】本発明の食用商品ディスペンサ及びパッケージの更に別の実施形態の複数の図の一つである。
【図２９】本発明の食用商品ディスペンサ及びパッケージの更に別の実施形態の複数の図の一つである。
【図３０】本発明の食用商品ディスペンサ及びパッケージの更に別の実施形態の複数の図の一つである。
【図３１】図３０の線ＸＸＸＩ−ＸＸＸＩに沿った断面図である。
【図３２】図３０の線ＸＸＸＩＩ−ＸＸＸＩＩに沿った断面図である。
【図３３】本発明の食用商品ディスペンサ及びパッケージの更に別の実施形態の複数の図の一つである。
【図３４】本発明の食用商品ディスペンサ及びパッケージの更に別の実施形態の複数の図の一つである。
【図３５】図３４の線ＸＸＸＶ−ＸＸＸＶに沿った断面図である。
【図３６】図３４の線ＸＸＸＶＩ−ＸＸＸＶＩに沿った断面図である。
【図３７】本発明の食用商品ディスペンサ及びパッケージの更に別の実施形態の複数の図の一つである。
【図３８】本発明の食用商品ディスペンサ及びパッケージの更に別の実施形態の複数の図の一つである。
【図３９】本発明の食用商品ディスペンサ及びパッケージの更に別の実施形態の複数の図の一つである。
【図４０】本発明の食用商品ディスペンサ及びパッケージの更に別の実施形態の複数の図の一つである。
【図４１】本発明の食用商品ディスペンサ及びパッケージの更に別の実施形態の複数の図の一つである。
【図４２】本発明の食用商品ディスペンサ及びパッケージの更に別の実施形態の複数の図の一つである。
【図４３】本発明の食用商品ディスペンサ及びパッケージの更に別の実施形態の複数の図の一つである。
【図４４】本発明の食用商品ディスペンサ及びパッケージの更に別の実施形態の複数の図の一つである。
【図４５】本発明の食用商品ディスペンサ及びパッケージの更に別の実施形態の複数の図の一つである。
【図４６】本発明の食用商品ディスペンサ及びパッケージの更に別の実施形態の複数の図の一つである。
【図１】
2007531673.tif 000002
【図２】
2007531673.tif 000003
【図３】
2007531673.tif 000004
【図４】
2007531673.tif 000005
【図５】
2007531673.tif 000006
【図６】
2007531673.tif 000007
【図７】
2007531673.tif 000008
【図８】
2007531673.tif 000009
【図９】
2007531673.tif 000010
【図１０】
2007531673.tif 000011
【図１１】
2007531673.tif 000012
【図１２】
2007531673.tif 000013
【図１３】
2007531673.tif 000014
【図１４】
2007531673.tif 000015
【図１５】
2007531673.tif 000016
【図１６】
2007531673.tif 000017
【図１７】
2007531673.tif 000018
【図１８】
2007531673.tif 000019
【図１９】
2007531673.tif 000020
【図２０】
2007531673.tif 000021
【図２１】
2007531673.tif 000022
【図２２】
2007531673.tif 000023
【図２３】
2007531673.tif 000024
【図２４】
2007531673.tif 000025
【図２５】
2007531673.tif 000026
【図２６】
2007531673.tif 000027
【図２７】
2007531673.tif 000028
【図２８】
2007531673.tif 000029
【図２９】
2007531673.tif 000030
【図３０】
2007531673.tif 000031
【図３１】
2007531673.tif 000032
【図３２】
2007531673.tif 000033
【図３３】
2007531673.tif 000034
【図３４】
2007531673.tif 000035
【図３５】
2007531673.tif 000036
【図３６】
2007531673.tif 000037
【図３７】
2007531673.tif 000038
【図３８】
2007531673.tif 000039
【図３９】
2007531673.tif 000040
【図４０】
2007531673.tif 000041
【図４１】
2007531673.tif 000042
【図４２】
2007531673.tif 000043
【図４３】
2007531673.tif 000044
【図４４】
2007531673.tif 000045
【図４５】
2007531673.tif 000046
【図４６】
2007531673.tif 000047
【国際調査報告】
2007531673.tif 000048
2007531673.tif 000049
2007531673.tif 000050
2007531673.tif 000051
2007531673.tif 000052